(57)【要約】  洗浄器が、棒状を有する本体部（１０）と、本体部（１０）内に設けられ、振動を発生させる振動発生部（２１）と、本体部（１０）内に設けられ、一部が本体部（１０）の一端から露出した状態で配置されていると共に、振動発生部（２１）で発生した振動を被洗浄物に伝達する振動伝達部（２２）と、本体部（１０）内に設けられ、振動発生部（２１）に振動を発生させるための電力を供給する電力供給部（３０）と、を備える。本体部（１０）が延びる方向に交差する方向の断面において、本体部（１０）と振動伝達部（２２）とが、それぞれ多角形状を有しており、本体部（１０）の多角形状の一辺と振動伝達部（２２）の多角形状の一辺とが、平行である。
2018016103.tif 000002
【特許請求の範囲】
【請求項１】
棒状を有する本体部と、
上記本体部内に設けられ、振動を発生させる振動発生部と、
上記本体部内に設けられ、一部が上記本体部の一端から露出した状態で配置されていると共に、上記振動発生部で発生した振動を被洗浄物に伝達する振動伝達部と、
上記本体部内に設けられ、上記振動発生部に振動を発生させるための電力を供給する電力供給部と、
を備え、
上記本体部が延びる方向に交差する方向の断面において、上記本体部と上記振動伝達部とが、それぞれ多角形状を有しており、上記本体部の上記多角形状の一辺と上記振動伝達部の上記多角形状の一辺とが、平行であることを特徴とする洗浄器。
【請求項２】
請求項１に記載の洗浄器において、
上記本体部が、使用者により把持される把持部を有し、
重心が上記把持部の中心に一致していることを特徴とする洗浄器。
【請求項３】
請求項１または２に記載の洗浄器において、
上記本体部が、その他端に、上記電力供給部から上記振動発生部への電力の供給をオンオフする押しボタンスイッチを有していることを特徴とする洗浄器。
【請求項４】
請求項１から３のいずれか１つに記載の洗浄器において、
上記本体部および上記振動伝達部の上記本体部が延びる方向に交差する方向の断面が、それぞれ四角形状であることを特徴とする洗浄器。
【請求項５】
請求項１から４のいずれか１つに記載の洗浄器において、
上記本体部の一端に着脱可能に取り付けられ、上記振動発生部を覆う蓋体部を備え、
上記蓋体部が、上記本体部を載置する置台を兼ねることを特徴とする洗浄器。
【請求項６】
棒状を有する本体部と、
上記本体部内に設けられ、振動を発生させる振動発生部と、
上記本体部内に設けられ、一部が上記本体部の一端から露出した状態で配置されていると共に、上記振動発生部で発生した振動を被洗浄物に伝達する振動伝達部と、
上記本体部内に設けられ、上記振動発生部に振動を発生させるための電力を供給する電力供給部と、
上記本体部の一端に着脱可能に取り付けられ、上記振動発生部を覆う蓋体部と、
を備え、
上記蓋体部が、上記本体部を上記本体部が延びる方向に沿った状態で載置可能な縦置台を兼ねていることを特徴とする洗浄器。
【請求項７】
請求項６に記載の洗浄器において、
上記電力供給部が、充電可能であり、
上記蓋体部が、上記本体部が載置された状態で、上記本体部の上記電力供給部を充電可能な充電部を有することを特徴とする洗浄器。
【請求項８】
請求項６または７に記載の洗浄器において、
上記蓋体部が、上記被洗浄物の洗浄を行うときに使用する水を貯留する貯水部を有することを特徴とする洗浄器。
【請求項９】
請求項６から８のいずれか１つに記載の洗浄器において、
上記蓋体部が、洗濯機の一部を構成していることを特徴とする洗浄器。
【請求項１０】
請求項９に記載の洗浄器において、
上記洗濯機の一部を構成している蓋体部が、上記本体部が載置された状態で、上記本体部の上記電力供給部を充電可能な充電部を有することを特徴とする洗浄器。
【発明の詳細な説明】
【技術分野】
【０００１】
本発明は、洗浄器に関する。
【背景技術】
【０００２】
特許文献１には、本体部と、この本体部の先端に取り付けられた振動発生部とを備える洗浄器が記載されている。この洗浄器では、振動発生部に振動伝達部を設けており、使用者が本体部を把持し、振動伝達部を衣類等の被洗浄物に押し当てて使用される。
【先行技術文献】
【特許文献】
【０００３】
【特許文献１】特許第３７６８９７８号公報
【発明の概要】
【発明が解決しようとする課題】
【０００４】
しかし、上記洗浄器は、本体部がＶ字状に屈曲していることに加え、本体部が延びる方向に交差する方向の本体部の断面が略円形であるため、使用者が本体部を把持したときに振動伝達部の方向付けを正確に行うことができない場合がある。【０００５】
そこで、本発明の課題は、振動伝達部を正確に方向付けできる洗浄器を提供することにある。
【課題を解決するための手段】
【０００６】
上記課題を解決するため、本発明の洗浄器は、
棒状を有する本体部と、
上記本体部内に設けられ、振動を発生させる振動発生部と、
上記本体部内に設けられ、一部が上記本体部の一端から露出した状態で配置されていると共に、上記振動発生部で発生した振動を被洗浄物に伝達する振動伝達部と、
上記本体部内に設けられ、上記振動発生部に振動を発生させるための電力を供給する電力供給部と、
を備え、
上記本体部が延びる方向に交差する方向の断面において、上記本体部と上記振動伝達部とが、それぞれ多角形状を有しており、上記本体部の上記多角形状の一辺と上記振動伝達部の上記多角形状の一辺とが、平行であることを特徴としている。
【発明の効果】
【０００７】
本発明によれば、本体部が棒状であると共に、本体部が延びる方向に交差する方向沿いの断面において、本体部と振動伝達部とが多角形状を有し、かつ、本体部の多角形状の一辺と振動伝達部の多角形状の一辺とが平行である。このため、本体部を用いて、振動伝達部の方向付けを行うことができ、振動伝達部を正確に方向付けすることができる。
【図面の簡単な説明】
【０００８】
【図１】本発明の第１実施形態の洗浄器を示す斜視図。
【図２】図１の洗浄器の正面図。
【図３】図１の洗浄器の上面図。
【図４】図１の洗浄器の底面図。
【図５】図２のＶ−Ｖ線に沿った断面図。
【図６】本発明の第２実施形態の洗浄器を示す斜視図。
【図７】図６の洗浄器から蓋体部を取り外した状態を示す斜視図。
【図８】本発明の第３実施形態の洗浄器を示す正面図。
【図９】本発明の第４実施形態の洗浄器を示す正面図。
【図１０】本発明の第５実施形態の洗浄器を載置した洗濯機を示す斜視図。
【発明を実施するための形態】
【０００９】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１０】
（第１実施形態）
本発明の第１実施形態の洗浄器１００は、図１〜図３に示すように、棒状を有する本体部１０と、この本体部１０の内部に設けられた超音波ホーン２０と、本体部１０の内部に設けられた電力供給部の一例の充電式のバッテリ３０（図５にのみ示す）と、を備えている。
【００１１】
なお、本体部１０が延びる方向をＹ方向とし、このＹ方向に交差する方向の断面の一辺に平行な方向をＸ方向とし、Ｘ方向およびＹ方向に交差する方向をＺ方向とする。
【００１２】
本体部１０は、図２および図３に示すように、使用者により把持される把持部１１と、内部に超音波ホーン２０が位置する先端部１２とで構成され、Ｙ方向に交差する方向の断面が、四角形状を有している。この本体部１０は、Ｙ方向に延びる中心線ＣＬに対して対照に設けられている。
【００１３】
把持部１１は、アルミニウム等の金属で構成され、図２および図３に示すように、Ｙ方向の上側の端部に、後述する先端部１２の基部１３が接続されている。把持部１１のＹ方向の上側の端部には、パッキン１１１が取り付けられており、これにより、把持部１１と先端部１２の基部１３との間をシールしている。
【００１４】
また、この把持部１１は、図４および図５に示すように、Ｙ方向に沿った平面視において、各角部が面取りされた正四角形状を有し、そのＹ方向下側の端部（先端部１２が取り付けられている端部の反対側の端部）に押しボタンスイッチ１６が設けられている。図３に示すように、押しボタンスイッチ１６は弾性を有しており、この弾性により、把持部１１と押しボタンスイッチ１６との間がシールされている。
【００１５】
把持部１１内の中心部には、図３に示すように、収容部１１２が設けられ、この収容部１１２にバッテリ３０が収容されている。収容部１１２のＺ方向右側には、マイコンを有するメイン回路基板１７が設けられ、Ｙ方向下側には、トランス１８が設けられている。メイン回路基板１７には、超音波ホーン２０、バッテリ３０、トランス１８、および、押しボタンスイッチ１６の各々が接続され、図示しないマイコンにより制御されるようになっている。
【００１６】
先端部１２は、絶縁性の樹脂で構成され、図２および図３に示すように、把持部１１に接続されている基部１３と、この基部１３に接続されている先細部１４とを有している。
【００１７】
基部１３は、図２に示すように、先端（Ｙ方向の上側）に向かうに従って中心線ＣＬに接近するように傾斜している。この基部１３の先端部には、図３に示すように、先細部１４を取り付けるための溝部１３１と、後述する超音波ホーン２０のホーン部２２が突出する貫通孔１３２とが設けられている。
【００１８】
また、基部１３の把持部１１に近い側（Ｙ方向の下側）には、基部１３の表面から突出する突出部１５が設けられている。この突出部１５を介して、超音波ホーン２０を覆う蓋体部（図示せず）を取り付けることができるようになっている。さらに、基部１３は、図４に示すように、Ｙ方向に沿った平面視において、各角部が面取りされた正四角形状を有し、その周縁が、把持部１１の周縁よりも内側に位置するように設けられている。
【００１９】
先細部１４は、図２に示すように、基部１３に接続された幅広部１４１と、この幅広部１４１から中心線ＣＬに沿って延びる幅狭部１４２とを有し、図３に示すように、両端の各々が開口している。
【００２０】
幅広部１４１は、図３に示すように、そのＹ方向の下部が基部１３の溝部１３１に嵌合されている。また、幅広部１４１のＹ方向の上部には、先端（Ｙ方向の上側）に向かうに従って中心線ＣＬに接近する湾曲面が設けられている。幅狭部１４２は、図２に示すように、Ｘ方向の幅は略同じであるが、図３に示すように、Ｚ方向の幅は先端（Ｙ方向の上側）に向かうに従って中心線ＣＬに接近するように傾斜している。
【００２１】
また、先細部１４は、図４に示すように、Ｙ方向に沿った平面視において、各角部が面取りされた矩形状を有し、その周縁が、基部１３の周縁よりも内側に位置するように設けられている。
【００２２】
超音波ホーン２０は、図３に示すように、振動発生部２１と、振動伝達部の一例のホーン部２２とを有している。
【００２３】
振動発生部２１は、圧電体を有すると共にバッテリ３０に電気的に接続され、圧電体に所定の電圧が印加される。この圧電体に所定の電圧を印加することにより、設定された周波数および振幅の超音波振動が発生するようになっている。本実施形態の洗浄器１００では、振動発生部２１が、衣類の洗浄に適した３０〜４０ｋＨｚの周波数を発生させるように設定されている。
【００２４】
また、振動発生部２１は、図３に示すように、先端部１２の基部１３の内部に位置している。この振動発生部２１の周囲にはパッキン２１１が設けられており、これにより、振動発生部２１と先端部１２の基部１３との間をシールしている。
【００２５】
ホーン部２２は、金属で構成され、その先端２２１が被洗浄物に接触して、振動発生部２１で発生した振動を被洗浄物に伝達する。このホーン部２２は、図３に示すように、振動発生部２１から中心線ＣＬに沿ってＹ方向の上側に向かって延びており、先端２２１が、先端部１２の基部１３に設けられた貫通孔１３２を通って、先端部１２の先細部１４のＹ方向上側の開口１４３から本体部１０の外部に突出している。すなわち、ホーン部２２は、本体部１０内に設けられ、その一部が本体部１０の一端から露出した状態で配置されている。
【００２６】
また、ホーン部２２は、図４に示すように、Ｙ方向に沿った平面視において、矩形状を有している。Ｙ方向に沿った平面視において、ホーン部２２の矩形状の各辺は、本体部１０の把持部１１の各角部が面取りされた正四角形状の各辺に対して略平行に配置されている。
【００２７】
次に、洗浄器１００の使用について説明する。
【００２８】
まず、被洗浄物の汚れが付着した箇所（洗浄箇所）に洗浄媒体を含ませる。この洗浄媒体は、通常の水であってもよいし、洗浄成分を含んだ水であってもよい。
【００２９】
次に、押しボタンスイッチ１６を操作して、洗浄器１００の電源をオン状態にする。これにより、超音波ホーン２０に電力が供給され、振動発生部２１が超音波振動を発生させる。振動発生部２１により発生した超音波振動は、振動発生部２１からホーン部２２に伝達される。
【００３０】
続いて、電源をオン状態にした洗浄器１００の把持部１１を把持して、ホーン部２２の先端２２１を被洗浄物の洗浄箇所に押し当てる。ホーン部２２に伝達された超音波振動が被洗浄物の洗浄箇所に伝達され、付着した汚れを浮かせて、洗浄媒体に溶出させる。これにより、被洗浄物に付着した汚れが除去される。
【００３１】
第１実施形態の洗浄器１００では、本体部１０が棒状であると共に、本体部１０が延びる方向に交差する方向の断面において、本体部１０とホーン部２２とが四角形状を有し、かつ、本体部１０の四角形状の一辺とホーン部２２の四角形状の一辺とが平行である。すなわち、本体部１０を用いて、ホーン部２２の方向付けを行うことができるので、ホーン部２２を正確に方向付けすることができる。
【００３２】
また、本体部１０が棒状であることから、使用者が、鉛筆あるいはペン等と同様に洗浄器１００を把持して、操作することができる。このため、洗浄器１００を容易に操作できる。
【００３３】
また、本体部１０が延びる方向に交差する方向において、本体部１０の把持部１１の断面形状が四角形状であるので、本体部１０の断面形状が他の多角形状である場合と比較して、方向付けが容易で、使用者が把持し易く、転がり難い。
【００３４】
また、本体部１０が、使用者により把持される把持部１１を有し、洗浄器１００の重心が把持部１１の中心Ｐに一致している。これにより、使用者により把持された把持部１１の位置と洗浄器１００の重心との間の距離を短くすることができるので、ホーン部２２の操作性を高めることができる。
【００３５】
また、本体部１０のホーン部２２が突出している端とは反対側の他端に、バッテリ３０から超音波ホーン２０の振動発生部２１への電力の供給をオンオフする押しボタンスイッチ１６を有している。これにより、洗浄器１００の操作時に、使用者の指等が押しボタンスイッチ１６に接触する可能性を低減して、誤操作を防止できる。
【００３６】
なお、本体部１０が延びる方向に交差する方向の断面における本体部１０およびホーン部２２の形状は、四角形状に限らず、多角形状であればよい。この場合、少なくとも本体部１０の多角形状の一辺とホーン部２２の多角形状の一辺とが、平行であればよいが、本体部１０とホーン部２２の多角形状のうち、最も長い辺同士が平行であるのが、好ましい。これにより、ホーン部２２の形状が、本体部１０の形状に結びつけられているので、ホーン部２２を正確に方向付けすることができる。
【００３７】
また、バッテリ３０は、充電式に限らず、可能であれば、充電できないものであってもよい。
【００３８】
（第２実施形態）
本発明の第２実施形態の洗浄器２００は、図６に示すように、本体部１０の一端に着脱自在に取り付けられ、超音波ホーン２０のホーン部２２を覆う蓋体部４０を備えた点で、第１実施形態の洗浄器１００とは異なっている。なお、第２実施形態では、第１実施形態と同一部分に同一参照番号を付して説明を省略し、第１実施形態と異なる点について説明する。
【００３９】
蓋体部４０は、図６に示すように、棒状で、蓋体部４０が延びる方向に交差する方向の断面において、本体部１０の把持部１１と同一の四角形状を有している。この蓋体部４０は、図７に示すように、長手方向（Ｙ方向）の一端に、本体部１０の先端部１２の基部１３に嵌合可能な開口４１と、この開口４１を介して超音波ホーン２０のホーン部２２を収容可能な凹部４２とを有している。凹部４２の開口縁部には、本体部１０の先端部１２の基部１３に設けられた突出部１５を嵌合可能な溝部４３が設けられている。この溝部４３は、凹部４２の四角形状の開口縁部の略中央に配置されている。
【００４０】
また、図６に示すように、蓋体部４０のＹ方向の開口４１の反対側の他端には、平坦面４４が設けられている。この平坦面４４を下側に向け、開口４１を上側に向けた状態で蓋体部４０を載置することで、蓋体部４０を本体部１０の置台にすることができる。すなわち、蓋体部４０によって、本体部１０をいわゆる縦置きの状態で載置することができる。
【００４１】
このように、蓋体部４０が本体部１０を載置する置台を兼ねている。これにより、例えば、本体部１０専用の置台が不要になり、洗浄器２００の持ち運びが便利になる。
【００４２】
また、本体部１０を縦置きの状態で載置することで、洗浄器２００の収納を省スペース化することができる。
【００４３】
なお、蓋体部４０は、本体部１０を縦置きの状態で載置できるもの限らず、例えば、洗浄器の設置面に対して、所定の角度を成した状態で本体部を載置できるものであってもよい。
【００４４】
（第３実施形態）
本発明の第３実施形態の洗浄器３００は、図８に示すように、蓋体部４０が、本体部１０が載置された状態で、本体部１０のバッテリ３０を充電可能な充電部５０を有している点で、第２実施形態の洗浄器２００とは異なっている。なお、第３実施形態では、第１および第２実施形態と同一部分に同一参照番号を付して説明を省略し、第１および第２実施形態と異なる点について説明する。
【００４５】
充電部５０は、図８に示すように、充電器本体５１と、充電器本体５１に接続された電源コード５２と、蓋体部４０の凹部４２の内周面に露出した状態で配置されている充電端子部５３とを有している。充電器本体５１と充電端子部５３とは、電気的に接続されている。
【００４６】
また、本体部１０の基部１３には、表面から露出した状態で配置されている本体端子部１３３が設けられている。この本体端子部１３３は、バッテリ３０に電気的に接続されている。
【００４７】
蓋体部４０を本体部１０に取り付けて、縦置きに載置した状態では、本体部１０の本体端子部１３３と蓋体部４０の充電部５０の充電端子部５３とが接触して、電気的に接続され、バッテリ３０を充電できるようになっている。
【００４８】
このように、蓋体部４０が、本体部１０が載置された状態で、本体部１０のバッテリ３０を充電可能な充電部５０を有している。このため、バッテリ３０を充電することで繰り返し使用することができ、洗浄器３００の維持コストを低減できる。
【００４９】
なお、充電部５０は、上述のような有接点充電に限らず、電磁誘導方式を用いた無接点充電を行えるものであってもよい。
【００５０】
（第４実施形態）
本発明の第４実施形態の洗浄器４００は、図９に示すように、蓋体部４０が、被洗浄物の洗浄を行うときに使用する水を貯留する貯水部６０を有している点で、第３実施形態の洗浄器３００とは異なっている。なお、第４実施形態では、第１〜第３実施形態と同一部分に同一参照番号を付して説明を省略し、第１〜第３実施形態と異なる点について説明する。
【００５１】
貯水部６０は、図９に示すように、蓋体部４０の平坦面４４側の端部（図９の下端部）に設けられている。この貯水部６０は、平坦面４４に開口する貯水室６１と、貯水室６１の開口を塞ぐカバー６２とを有している。貯水室６１は、被洗浄物の洗浄に使用する水が貯留される。カバー６２は、蓋体部４０に着脱可能に取り付けられている。このカバー６２には、図示しないパッキンが取り付けられ、貯水室６１とカバー６２との間をシールしている。
【００５２】
このように、蓋体部４０に貯水部６０を設けることで、水を得ることができない環境であっても、洗浄器４００を使用して、被洗浄物の汚れを除去できる。
【００５３】
なお、被洗浄物の洗浄に使用する水の貯留は、貯水室６１内に貯水することにより行ってもよいし、吸水させたパフ等を貯水室６１内に収容することにより行ってもよい。
【００５４】
（第５実施形態）
本発明の第５実施形態の洗浄器５００は、図１０に示すように、蓋体部４０が、洗濯機１の一部を構成している点で、第３実施形態の洗浄器３００とは異なっている。なお、第５実施形態では、第１〜第３実施形態と同一部分に同一参照番号を付して説明を省略し、第１〜第３実施形態と異なる点について説明する。
【００５５】
このように、蓋体部４０が、洗濯機１の一部を構成しているので、例えば、部分的に目立つ被洗浄物の汚れに対して洗濯機１による洗濯の前に使用することで、一度の洗濯で被洗浄物の汚れを除去できる。すなわち、洗浄器５００の使用性を向上できる。
【００５６】
（第６実施形態）
本発明の第６実施形態の洗浄器５００は、図１０に示すように、蓋体部４０が、洗濯機１の一部を構成しており、その内部は図８に示すような構造になっている。充電本体５１と、蓋体部４０の凹部４２の内周面に露出した状態で配置されている充電端子部５３とを有している。充電器本体５１と充電端子部５３とは、電気的に接続されている。
【００５７】
また、本体部１０の基部１３には、表面から露出した状態で配置されている本体端子部１３３が設けられている。この本体端子部１３３は、バッテリ３０に電気的に接続されている。
【００５８】
蓋体部４０を本体部１０に取り付けて、縦置きに載置した状態では、本体部１０の本体端子部１３３と蓋体部４０の充電部５０の充電端子部５３とが接触して、電気的に接続され、バッテリ３０を充電できるようになっている。
【００５９】
このように、蓋体部４０が、本体部１０が載置された状態で、本体部１０のバッテリ３０を充電可能な充電部５０を有している。このため、バッテリ３０を充電することで繰り返し使用することができる。すなわち、洗浄器５００の使用性を向上できる。
【００６０】
なお、洗濯機１は、縦型でもドラム式でも構わない。
【００６１】
本発明および実施形態をまとめると、次のようになる。
【００６２】
本発明の洗浄器１００，２００，３００，４００，５００は、
棒状を有する本体部１０と、
上記本体部１０内に設けられ、振動を発生させる振動発生部２１と、
上記本体部１０内に設けられ、一部が上記本体部１０の一端から露出した状態で配置されていると共に、上記振動発生部２１で発生した振動を被洗浄物に伝達する振動伝達部２２と、
上記本体部１０内に設けられ、上記振動発生部２１に振動を発生させるための電力を供給する電力供給部３０と、
を備え、
上記本体部１０が延びる方向に交差する方向の断面において、上記本体部１０と上記振動伝達部２２とが、それぞれ多角形状を有しており、上記本体部１０の上記多角形状の一辺と上記振動伝達部２２の上記多角形状の一辺とが、平行であることを特徴としている。
【００６３】
上記構成によれば、本体部１０を用いて、振動伝達部２２の方向付けを行うことができるので、振動伝達部２２を正確に方向付けすることができる。
【００６４】
また、一実施形態の洗浄器１００，２００，３００，４００，５００では、
上記本体部１０が、使用者により把持される把持部１１を有し、
重心が上記把持部１１の中心に一致している。
【００６５】
上記実施形態によれば、使用者により把持された把持部１１の位置と洗浄器１００，２００，３００，４００，５００の重心との間の距離を短くすることができるので、振動伝達部２２の操作性を高めることができる。
【００６６】
また、一実施形態の洗浄器１００．２００．３００，４００，５００では、
上記本体部１０が、その他端に、上記電力供給部３０から上記振動発生部２１への電力の供給をオンオフする押しボタンスイッチ１６を有している。
【００６７】
上記実施形態によれば、洗浄器１００，２００，３００，４００，５００の操作時に、使用者の指等が押しボタンスイッチ１６に接触する可能性を低減して、誤操作を防止できる。
【００６８】
また、一実施形態の洗浄器１００，２００，３００，４００，５００では、
上記本体部および上記振動伝達部の上記本体部が延びる方向に交差する方向の断面が、それぞれ四角形状である。
【００６９】
上記実施形態によれば、本体部１０の断面形状が他の多角形状である場合と比較して、方向付けが容易で、使用者が把持し易く、転がり難い。
【００７０】
また、一実施形態の洗浄器２００，３００，４００，５００では、
上記本体部の一端に着脱可能に取り付けられ、上記振動発生部を覆う蓋体部を備え、
上記蓋体部が、上記本体部を載置する置台を兼ねる。
【００７１】
上記実施形態によれば、例えば、本体部１０専用の置台が不要になり、洗浄器２００の持ち運びが便利になる。
【００７２】
ところで、特許文献１に開示されている洗浄器を載置する場合、この洗浄器を載置可能な専用の置台を用いることが考えられる。しかし、上記洗浄器の載置に専用の置台を用いると、例えば、外出先で上記洗浄器を使用する場合、上記洗浄器に加えて、専用の置台を持ち運ばなければならず、持ち運びが不便である。
【００７３】
本発明の洗浄器２００，３００，４００，５００は、
棒状を有する本体部１０と、
上記本体部１０内に設けられ、振動を発生させる振動発生部２１と、
上記本体部１０内に設けられ、一部が上記本体部１０の一端から露出した状態で配置されていると共に、上記振動発生部２１で発生した振動を被洗浄物に伝達する振動伝達部２２と、
上記本体部１０内に設けられ、上記振動発生部２１に振動を発生させるための電力を供給する電力供給部３０と、
上記本体部１０の一端に着脱可能に取り付けられ、上記振動発生部２１を覆う蓋体部４０と、
を備え、
上記蓋体部４０が、上記本体部１０を上記本体部１０が延びる方向に沿った状態で載置可能な縦置台を兼ねていることを特徴としている。
【００７４】
上記構成によれば、例えば、本体部１０専用の置台が不要になり、洗浄器２００の持ち運びが便利になる。
【００７５】
また、一実施形態の洗浄器３００，４００，５００では、
上記電力供給部３０が、充電可能であり、
上記蓋体部４０が、上記本体部１０が載置された状態で、上記本体部１０の上記電力供給部３０を充電可能な充電部５０を有する。
【００７６】
上記実施形態によれば、電力供給部３０を充電することで繰り返し使用することができ、洗浄器３００，４００，５００の維持コストを低減できる。
【００７７】
また、一実施形態の洗浄器４００では、
上記蓋体部４０が、上記被洗浄物の洗浄を行うときに使用する水を貯留する貯水部６０を有する。
【００７８】
上記実施形態によれば、水を得ることができない環境であっても、洗浄器４００を使用して、被洗浄物の汚れを除去できる。
【００７９】
また、一実施形態の洗浄器５００では、
上記蓋体部４０が、洗濯機１の一部を構成している。
【００８０】
上記実施形態によれば、例えば、部分的に目立つ被洗浄物の汚れに対して洗濯機１による洗濯の前に使用することで、一度の洗濯で被洗浄物の汚れを除去できる。すなわち、洗浄器５００の使用性を向上できる。
【００８１】
上記第１〜第６実施形態で述べた構成要素は、適宜、組み合わせてもよく、また、適宜、選択、置換、あるいは、削除してもよいことは、勿論である。
【符号の説明】
【００８２】
１０  本体部
１１  把持部
１１１  パッキン
１１２  収容部
１２  先端部
１３  基部
１３１  溝部
１３２  貫通孔
１３３  本体端子部
１４  先細部
１４１  幅広部
１４２  幅狭部
１４３  開口
１５  突出部
１６  押しボタンスイッチ
１７  メイン回路基板
１８  トランス
２０  超音波ホーン
２１  振動発生部
２１１  パッキン
２２  ホーン部（振動伝達部の一例）
２２１  先端
３０  バッテリ（電力供給部の一例）
４０  蓋体部
４１  開口
４２  凹部
４３  溝部
５０  充電部
５１  充電器本体
５２  電源コード
５３  充電端子部
６０  貯水部
６１  貯水室
６２  カバー
１００，２００，３００，４００，５００  洗浄器
ＣＬ  中心線
【図１】
2018016103.tif 000003
【図２】
2018016103.tif 000004
【図３】
2018016103.tif 000005
【図４】
2018016103.tif 000006
【図５】
2018016103.tif 000007
【図６】
2018016103.tif 000008
【図７】
2018016103.tif 000009
【図８】
2018016103.tif 000010
【図９】
2018016103.tif 000011
【図１０】
2018016103.tif 000012
【国際調査報告】
2018016103.tif 000013
2018016103.tif 000014
2018016103.tif 000015
2018016103.tif 000016